(57)【要約】【課題】  建物面の均一な照明が可能な照明器具を提供することである。【解決手段】  ほぼシェル状に湾曲されたリフレクタ部材（１０）を有し、前記リフレクタ部材の内部空間（２１）内に少なくとも１つのランプが配置可能であって、前記ランプから出て光が、少なくとも部分的に、リフレクタ部材の内側（２７）で反射または散乱した後に初めて、照明すべき建物面または建物部分面へ達し、リフレクタ部材の内側は、構造化されて配置されている多数のセグメント（１５ａ、１５ｂ、１５ｃ、１５ｄ、３２、３８）に分割されていて、セグメントが、それぞれ内部空間へ向かって湾曲された表面（３１ａ、３１ｂ、３１ｃ、３６、３７、４０）を有している。【選択図】      図２
2006073532.tif 000002
【特許請求の範囲】
【請求項１】
建物面または建物部分面を照明する照明器具であって、
ほぼシェル状に湾曲されたリフレクタ部材（１０）を有し、前記リフレクタ部材の内部空間（２１）内に少なくとも１つのランプが配置可能であって、前記ランプから出た光が、少なくとも部分的に、リフレクタ部材の内側（２７）で反射または散乱した後に初めて、照明すべき建物面または建物部分面へ達し、前記リフレクタ部材の内側は、構造化されて配置されている多数のセグメント（１５ａ、１５ｂ、１５ｃ、１５ｄ、３２、３８）に分割されている、照明器具において、
セグメントが、それぞれ内部空間へ向かって湾曲された表面（３１ａ、３１ｂ、３１ｃ、３６、３７、４０）を有していることを特徴とする照明器具。
【請求項２】
リフレクタ部材（１０）の焦点（２２）の領域内に、ランプが配置可能であることを特徴とする請求項１に記載の照明器具。
【請求項３】
リフレクタ部材（１０）が、ほぼ長手中心軸（Ｉ）の周りに回転対称に形成されていることを特徴とする請求項１または２に記載の照明器具。
【請求項４】
リフレクタ部材（１０）が、ほぼパラボラ状に湾曲されていることを特徴とする請求項１から３のいずれか１項に記載の照明器具。
【請求項５】
表面（３１ａ、３１ｂ、３１ｃ、３６、３７、４０）が、二重に湾曲されており、かつ第１の半径（ｒ１）を有する第１の湾曲と、第２の半径（ｒ２）を有する第２の湾曲を有していることを特徴とする請求項１から４のいずれか１項に記載の照明器具。
【請求項６】
第２の半径（ｒ２）を有する第２の湾曲が、リフレクタ部材（１０）の長手中心軸（Ｉ）に対してほぼ平行に向けられ、あるいはこの長手中心軸と鋭角に交差する、湾曲軸を中心に行われることを特徴とする請求項５に記載の照明器具。
【請求項７】
第１の半径（ｒ１）を有する第１の湾曲が、リフレクタ部材の長手中心軸（Ｉ）に対してほぼ垂直に向けられた湾曲軸を中心に行われることを特徴とする請求項５または６に記載の照明器具。
【請求項８】
第１および第２の半径（ｒ１、ｒ２）が、異なることを特徴とする請求項５から７のいずれか１項に記載の照明器具。
【請求項９】
第１の半径（ｒ１）および／または第２の半径（ｒ２）が、リフレクタ部材（１０）の頂点領域（１１）に対するセグメントの距離に従って異なることを特徴とする請求項５から８のいずれか１項に記載の照明器具。
【請求項１０】
第１の半径（ｒ１）および／または第２の半径（ｒ２）が、リフレクタ部材（１０）の頂点領域（１１）に対するセグメントの距離が増大するにつれて増加することを特徴とする請求項５から９のいずれか１項に記載の照明器具。
【請求項１１】
それぞれ２つのセグメント（１５ａ、１５ｂ、１５ｃ、１５ｄ、１６ａ、１７ａ）が、互いに直接隣り合って配置されていることを特徴とする請求項１から１０のいずれか１項に記載の照明器具。
【請求項１２】
多数のセグメント（１５ａ、１５ｂ、１５ｃ、１５ｄ）が、リフレクタ部材（１０）の周面にわたってほぼ環状に配置されていることを特徴とする請求項１から１１のいずれか１項に記載の照明器具。
【請求項１３】
リフレクタ部材の頂点領域（１１）とリフレクタ部材の光出口開口部（２０）との間に、環状に配置されたセグメントの複数のグループ（２９、２９ａ、２９ｂ、２９ｃ、２９ｄ、２９ｅ、２９ｆ、２９ｇ、２９ｈ、２９ｉ、２９ｊ、２９ｋ、２９ｌ、２９ｍ、２９ｎ、２９ｏ）が配置されていることを特徴とする請求項１２に記載の照明器具。
【請求項１４】
周方向におけるセグメントの数が、リフレクタ部材（１０）の頂点領域（１１）に対する距離に関係なく一定であることを特徴とする請求項１２から１３のいずれか１項に記載の照明器具。
【請求項１５】
セグメントが、リフレクタ部材（１０）の湾曲された内側（２７）に関して、ほぼ線形に配置されていることを特徴とする請求項１から１４のいずれか１項に記載の照明器具。
【請求項１６】
セグメントの大きさが、リフレクタ部材（１０）の頂点領域（１１）からリフレクタ部材の光出口開口部（２０）へ向かって増大することを特徴とする請求項１から１５のいずれか１項に記載の照明器具。
【請求項１７】
各セグメントが、投影された表面においてほぼ台形状の底面を有していることを特徴とする請求項１から１６のいずれか１項に記載の照明器具。
【請求項１８】
リフレクタ部材（１０）の環状の端縁領域（１２）が、ほぼ円形ディスク形状の光出口開口部（２０）を定めていることを特徴とする請求項１から１７のいずれか１項に記載の照明器具。
【請求項１９】
照明器具が、固定位置に配置されていることを特徴とする請求項１から１８のいずれか１項に記載の照明器具。
【請求項２０】
リフレクタ部材の内側（２７）の、光出口開口部（２０）と頂点領域（１１）の間が、完全にセグメントで占められていることを特徴とする請求項１から１９のいずれか１項に記載の照明器具。
【請求項２１】
リフレクタ部材の端縁（１２）の領域内に、カラー（１３）が配置されていることを特徴とする請求項１から２０のいずれか１項に記載の照明器具。
【請求項２２】
リフレクタ部材（１０）のカラー（１３）に、固定溝（１４ａ、１４ｂ）あるいは固定収容部が配置されていることを特徴とする請求項２１に記載の照明器具。
【請求項２３】
リフレクタ部材の頂点領域（１１）の領域内に、開口部が設けられており、前記開口部にランプまたはランプのための固定ソケットを通すことができることを特徴とする請求項１から２２のいずれか１項に記載の照明器具。
【請求項２４】
ほぼシェル状に湾曲されたリフレクタ部材（１０）を有し、前記リフレクタ部材の内側に多数のセグメント（１５ａ、１５ｂ、１５ｃ、１５ｄ、３２、３８）が配置されている、建物面または建物部分面を照明するための照明器具において、
セグメントが、それぞれ内部空間へ向かって湾曲された表面（３１ａ、３１ｂ、３１ｃ、３６、３７、４０）を有しており、リフレクタ部材が、その頂点領域（１１）とその自由端縁領域（１２）との間に間隔（ｈ１）を有し、かつ第１の直径（ｄ１）をを有するほぼ円形の光出口開口部（２０）を有しており、リフレクタ部材が、同じ間隔（ｈ２）と同じ直径（ｄ２）を有する第２のリフレクタ部材によって取替え可能であり、前記第２のリフレクタ部材が、第１のリフレクタ具材とは異なるように湾曲された表面を備えたセグメントを有していることを特徴とする照明器具。
【発明の詳細な説明】
【技術分野】
【０００１】
本発明は、まず、請求項１の上位概念に記載の、建物面または建物部分面を照らすための照明器具に関する。
【背景技術】
【０００２】
この種の照明器具は、本出願人によりかなり以前から開発されており、パルスキャン（Ｐａｒｓｃａｎ）の名称で販売されている。既知の照明器具は、アルミニウムからなる、ほぼパラボラ形状に形成された、リフレクタ部材を有している。リフレクタ部材は、アルミニウムの円形の板金から形成され、そのアルミニウムの円形の板金が回転しながらピン（雄型）へ押圧される。リフレクタ部材は、押圧プロセスを実施した後に、内側を有し、その内側が雌型として形成されており、かつその内側上に雄型がコピーされている。既知のリフレクタ部材は、多数のセグメントを有しており、それらセグメントはそれぞれほぼ平坦な表面を有している。周方向に見ても、リフレクタ部材の端縁領域からその頂点領域へ向かって見ても、それぞれ隣接するセグメントの列が多角形列にまとめられている。
【発明の開示】
【発明が解決しようとする課題】
【０００３】
この従来技術に基づいて、本発明の課題は、既知の照明器具を、建物面の均一な照明が可能になるように、展開することである。
【課題を解決するための手段】
【０００４】
本発明は、この課題を、請求項１の特徴によって、特に特徴部分の特徴によって解決し、従って、セグメントがそれぞれ内部空間へ向かって湾曲された表面を有することを特徴としている。
【０００５】
従って本発明の原理は、大体において、従来の方法でランプから出射した光割合の反射をもたらす、ほぼ平坦な表面を有するセグメントを使用する代わりに、個々の光成分または光束を所望に扁平化してそれによって均一化することのできる、湾曲した表面を設けることにある。このようにして、多数のセグメントに分配することによりリフレクタ表面の輝度を減少させることができる。さらに、散乱光割合を最小限に抑えることができる。というのは、湾曲された、特に球状に湾曲されたセグメントは、特に精確に前もって定めることができ、従って正確に形成することができるからである。
【０００６】
ほぼ平坦な反射面を使用する場合には、反射はユークリッドの反射法則に従って行われ、それによればこの表面へ入射する光ビームは、入射角に相当する出射角を有するが、平行な光束が屈曲された、あるいは湾曲された表面、たとえば球面へ当接する場合には、発散する反射が行われる。その結果、湾曲された表面を有する個々のセグメントの輝度は、ほぼ平坦な面を有する同様なセグメントにおけるよりも小さくなる。
【０００７】
このことがまた、全体として、均質に照明された建物面または建物部分面をもたらす。
【０００８】
本発明に基づく照明器具は、さらに、セグメントの表面の湾曲半径を適切に選択することにより、照明器具の前もって定めることのできる放射行動を可能にする。そのために、各セグメントは、好ましくは二重に湾曲され、従って第１と第２の湾曲半径を有する。この２つの湾曲半径を選択することによって、照明器具の放射特性を著しく調節することができる。より小さい半径は、光束のより大きい扁平化をもたらし、従って照明器具をフラッドとして使用する場合、従って建物部分のより大きい面領域を隈無く照らそうとする場合に、使用される。より大きい湾曲半径は、平行な光ビームを余り強く扁平化せず、従って好ましくは、照明器具をスポット照明器具として使用する場合、そして特に建物面の狭く区切られた領域、たとえば円形の領域を照明しようとする場合に、使用される。
【０００９】
光がランプから出て少なくとも部分的に、リフレクタ部材の内側で反射または散乱した後に照明すべき建物面または建物部分面へ達する、という表現は、ランプからの直接の光割合も照明すべき建物面に直接達することができることを表している。しかし、主要な光割合、従ってランプから放出された光束の圧倒的な割合は、まずリフレクタ部材の内側に当接する。
【００１０】
建物面または建物部分面と称されるのは、特に建物壁、建物天井または建物床であり、外部照明器具の場合にはもちろん、道領域または道路領域も隈無く照らすことができる。本発明に基づく照明器具は、固定位置に、好ましくは建物面または建物部分面に、あるいはまた支柱などに取り付けられている。
【００１１】
本特許出願の主旨において、建物面に配置された対象、たとえば芸術作品も建物面または建物部分面と見なされる。従って建物面または建物部分面を照明するための、本発明に基づく照明器具は、特にスポット照明器具として形成された照明器具において興味を惹く、対象照明にも用いることができる。
【００１２】
請求項１の上位概念に記載のセグメントの構造化された配置というのは、整理された、従って所定のパターンまたはラスターに従って互いに対して配置された、すべてのセグメントである。セグメントは、任意のラスターで配置することができる。この種のラスターは、もちろん、照明器具の所望の放射特性を得るために、必要である。好ましくは、セグメントが周方向にほぼ環状に配置されている、ラスターが使用され、リングのセグメントの数は、リフレクタ部材の頂点領域からのリングの距離に従って変化せず、一定である。従って、セグメントをリフレクタ部材の端縁の領域からその頂点領域の方向へ見た場合にほぼ直線に沿って、従って線形に配置する可能性も生じる。
【００１３】
本発明の好ましい形態によれば、ランプはリフレクタ部材の焦点の領域に配置可能であり、従って位置決め可能である。これが、照明器具の正確に前もって定めることのできる放射特性を可能にする。そして、このようにランプを焦点近傍に配置することは、リフレクタ部材がほぼパラボラ状に湾曲されている場合に、効果的である。パラボラ状に形成されたリフレクタ部材の他に、リフレクタ部材のために他のシェル状の基本形状も考えられる。もちろん、リフレクタ部材の内部に複数のランプを配置することもできる。決定的なことは、光源が少なくとも焦点の近傍に配置されることである。
【００１４】
本発明の他の好ましい形態において、リフレクタ部材はほぼ回転対称に形成されている。これが、リフレクタ部材の特に簡単な組立て形状と形成および建物面の特に均質な照明を可能にする。
【００１５】
本発明の他の好ましい形態によれば、表面は二重に湾曲されている。特に表面は、第１の半径を有する第１の湾曲と、第２の半径を有する第２の湾曲とを有している。従って各セグメントの表面は、ほぼ球状に形成されている。しかしそれは、必ずしも球表面の一部である必要はなく、２つの異なる湾曲半径に沿って湾曲された、空間的に湾曲された表面である。球表面は、第１の半径と第２の半径が等しい、特殊な場合としてのみ、考えられる。しかし、この特殊場合は、本発明に含まれる。
【００１６】
好ましくはリフレクタ部材の頂点領域からのセグメントの距離に伴って変化する、これら２つの異なる湾曲半径を計算し、かつ前もって定めることによって、照明器具の放射特性を極めて精確に前もって定めることができる。それによって特に、建物面または建物部分面を特別な程度において均質に隈なく照らすことができる。
【００１７】
好ましくは第１の半径および／または第２の半径は、リフレクタ部材の頂点領域に対するセグメントの距離に従って異なる。これが、照明器具の放射特性を特に正確に前もって定めることを可能にする。
【００１８】
本発明の他の好ましい形態によれば、それぞれ２つのセグメントが互いに直接隣り合って配置されている。従ってリフレクタ部材の内側全体が、個々のセグメントの表面から構成される。これが、リフレクタ表面の輝度を減少させ、散乱光割合を最小限に抑える。
【００１９】
本発明の他の好ましい形態によれば、リフレクタ部材の頂点領域とリフレクタ部材の光出口開口部との間に、環状に配置されたセグメントの複数のグループが配置されている。これが、建物面の特に均質な照明を可能にする。さらに、照明器具の放射特性を、このようにして特に簡単な方法で前もって定めることができる。
【００２０】
本発明の他の好ましい形態によれば、セグメントはリフレクタ部材の湾曲された内側に関して、ほぼ線形に配置されている。従ってセグメントは、観察者がほぼリフレクタ部材の回転軸に沿って、あるいはその長手中心軸に沿ってその内部空間をのぞき込んだ場合に、ほぼ直線に沿って配置されている。実際には、リフレクタ部材の内側自体が湾曲されているので、セグメントは、リフレクタ部材の内側の推移に従う湾曲されたルートに沿って配置されている。この湾曲されたルートは、リフレクタ部材の頂点領域をリフレクタ部材の自由端縁領域と最短距離で結ぶ。
【００２１】
本発明の他の好ましい形態によれば、セグメントの大きさは、リフレクタ部材の頂点領域からリフレクタ部材の光出口開口部へ向かって増大する。このことが、リフレクタ部材の内側にセグメントを完全に設けることを可能にしている。
【００２２】
これに関連して述べておくが、好ましくはリフレクタ部材の内面全体がセグメントで占められている。従ってセグメントは、リフレクタの内側全体をその自由端縁から頂点領域まで、従って直接それに接する開口部まで占めており、その開口部を通してランプまたはランプのためのソケットが差し込まれている。さらに、好ましくは周方向におけるセグメントの数は、リフレクタ部材の頂点領域からのセグメントの距離に関係なく、一定である。このことが、建物面または建物部分面の特に均質な照明を可能にする。
【００２３】
本発明の他の好ましい形態によれば、リフレクタ部材の端縁の領域に、カラーが配置されている。これが、固定開口部を特に簡単に設けることを可能にする。
【００２４】
本発明は、さらに、請求項２４の上位概念に記載の建物面または建物部分面を照明する照明器具に関する。
【００２５】
本発明は、同様に、冒頭で説明した、本出願人の照明器具に基づいている。
【００２６】
本発明の課題は、既知の照明器具を、簡単な構造が可能になるように、さらに開発することである。
【００２７】
本発明は、この課題を、請求項２４の特徴によって、特に特徴部分の特徴によって解決し、従ってセグメントがそれぞれ内部空間へ向かって湾曲された表面を有しており、リフレクタ部材はその頂点領域とその自由端縁領域との間に間隔を有して、かつ第１の直径を備えた、光出口開口部、特にほぼ円形の光出口開口部を有しており、このリフレクタ部材は、第１のリフレクタ部材に対して異なるように湾曲された表面を備えた、等しい間隔と等しい直径を有する、第２のリフレクタ部材によって交換可能であることを特徴としている。
【００２８】
従って本発明の原理は、大体において、同一の外側寸法または規模、従って同一の間隔と同一の直径を有する第１のリフレクタ部材と第２のリフレクタ部材を設けることにある。従って第１と第２のリフレクタ部材は、互いに交換可能である。
【００２９】
従って第１と第２のリフレクタ部材に、同一の固定部材または固定開口部、たとえば固定収容部または固定溝を設ける可能性も生じる。第１のリフレクタ部材も、第２のリフレクタ部材も、同じ照明器具に、好ましくは同一の固定手段によって、固定することができる。
【００３０】
もちろん、２つのリフレクタ部材は異なるように湾曲された表面を有しており、その表面は特にその湾曲半径に関して異なっている。すなわち、たとえば第１のリフレクタ部材に、より大きい半径を有する多数のセグメントを設けることができ、第２のリフレクタ部材には、より小さい半径を有する多数のセグメントを設けることができる。従って、第１のリフレクタ部材は、照明器具のために、たとえば従来のスポット照明器具のものに相当する、第１の放射特性を発生させることができ、第２のリフレクタ部材は、第１の放射特性とは異なる、従来のフラッド照明器具のものに相当する、第２の放射特性をもたらすことができる。このようにして、リフレクタ部材の交換によって、照明器具において変更を実施する必要なしに、照明器具の放射特性を完全に変化させることができる。リフレクタ部材を交換するだけで、十分である。これは単に、湾曲された表面のための異なる湾曲半径が計算されて、設けられることによって、可能となる。
【００３１】
本発明に基づく原理は、異なる放射特性のために従来必要であった、それぞれ異なる照明器具の複雑な構造を、根本的に単純化する可能性を提供する。ただ、リフレクタ部材を個別に異なるようにするだけで済む。その他においては、照明器具は、リフレクタ部材のための収容空間に関して、照明器具ハウジングに関して、かつリフレクタのための照明器具側の固定部材に関して、完全に同一に形成することができる。このようにして、照明器具のための軸受ホルダも、著しく簡略化することができる。そして、すでに組み込まれている、すなわち使用場所に固定的に取り付けられている照明器具の放射特性も、必要に応じて、リフレクタ部材の交換によって、変化させることができる。
【００３２】
なお、異なるリフレクタ部材において、同一のランプを使用する可能性もある。
【発明を実施するための最良の形態】
【００３３】
本発明の他の利点は、引用されていない従属請求項により、かつ図に示す２つの実施例の、以下の説明から明らかにされる。
【００３４】
リフレクタ部材は、図面においてその全体を符号１０で示されており、図１と２および図３から６の２つの異なる実施例の同一の部分または部材について、簡単にするために、一部は小文字を付加して、同一の参照符号が使用される。
【００３５】
図１と２は、ほぼパラボラ状に湾曲されたリフレクタ部材１０を示しており、そのリフレクタ部材は頂点領域１１と自由端縁領域１２を有している。頂点領域１１と自由端縁領域１２の間の軸方向の間隔、従ってリフレクタ部材１０の高さまたは頂点高さは、図２にｈ１で示されている。リフレクタ部材の自由端縁領域１２は、直径ｄ１のほぼ円形の光出口開口部２０を包囲している。従ってこの直径は、リフレクタ部材１０の最も広い箇所における内径ｄ１に相当する。
【００３６】
自由端縁１２の領域において、リフレクタ部材１０は半径方向外側へ拡幅して、フランジ状のカラー１３を有している。特に図１から明らかなように、フランジ状のカラー１３に、固定開口部を表す２つの溝状の端縁切欠き１４ａ、１４ｂが配置されている。この端縁切欠き１４ａ、１４ｂに部分的に挿通される、図示されていない固定手段、たとえばボルトによって、リフレクタ部材を、図示されていない照明器具の同様に図示されていない照明器具ハウジングに固定することができる。そのためにリフレクタ部材１０は、従来のように、照明器具の内部空間内に配置される。照明器具が組み立てられた状態において、典型的に、フランジ状のカラー１３の、図２に関して上方の側が、照明器具ハウジング側の添接面に添接するので、フランジ状のカラー１３と、それに伴ってリフレクタ部材１０全体を、この添接面に対して固定することができる。
【００３７】
代替的に、もちろん、他の固定方法も可能である。
【００３８】
リフレクタ部材１０の頂点１１の領域内に、図には示されていない切欠きが設けられており、その切欠きは典型的にはリフレクタ部材１０の長手中心軸を中心とする開口部の形状で、その頂点１１の領域に設けられる。開口部は、たとえば頂点領域１１を打ち抜きあるいは切断することによって得ることができる。この図示されていない開口部を通してランプが挿通されるので、ランプ１０は、取り付けられた状態においてリフレクタ部材１０の内部空間２１内の、好ましくはたとえば、図２で単に示唆されている焦点２２の領域に配置されている。
【００３９】
リフレクタ部材１０は、その内側２７に多数のセグメントを有している。図１において、周方向に互いに隣接して配置されたセグメントは、参照符号１５ａ、１５ｂ、１５ｃ、１５ｄで示されており、明らかなように、周方向に全部で８０のセグメントが設けられており、それらはそれぞれ環状のグループを形成している。
【００４０】
セグメントは、リフレクタ部材１０の自由端縁領域１２から頂点１１の領域へ延びている。特に図１から明らかなように、セグメントは直線１８に沿って配置されている。全体として、周方向のセグメントの数に対応して、８０の異なるビーム状に配置された直線１８が存在し、それらの直線は図１の視線方向に見た場合に、リフレクタ部材１０の頂点１１から自由端縁１２へ延びている。従って蜘蛛の巣状の構造または蜘蛛の巣状のラスターが生じる。
【００４１】
たとえば、図１には、直線１８ａに沿って配置されたセグメント１５ａ、１６ａおよび１７ａが示されている。この直線１８ａに沿って、全部で２０のセグメントがリフレクタ部材１０の頂点領域１１からその自由端縁領域１２へ延びている。なお、線１８、１８ａは、単に図１を考える場合の直線である。実際には、線１８、１８ａは、特に図２から得られる、リフレクタ部材１０のパラボラ状の基本形状に従う。しかし、線１８は、リフレクタ部材１０の自由端縁領域１２を頂点領域１１と最短距離で結ぶ。
【００４２】
図１から明らかなように、リフレクタ部材１０は全体として、環状のグループのセグメントの同心の配置を有している。すなわち、リフレクタ部材１０の自由端縁１２に直接隣接する８０のセグメントのグループが、セグメントの環状のグループ２９ａを形成している。このグループ２９ａの半径方向内側、かつリフレクタ部材１０の頂点１１のより近くに配置されて、セグメントの第２の環状のグループ２９ｂがある。また、半径方向さらに内側かつ頂点１１のより近くに配置されて、セグメントの第３の環状のグループ２９ｃがある。全体として、直線１８に沿ったセグメントの数に相当する、セグメントの２０の異なる環状のグループが生じる。セグメントの各グループは、８０のセグメントを有している。
【００４３】
セグメントの各グループ２０ａ、２０ｂ、２０ｃは、サークルライン２８ａ、２８ｂ、２８ｃに沿って配置されている。全部のサークルライン２８、２８ａ、２８ｂ、２８ｃは、同心のサークルラインである。
【００４４】
リフレクタ部材１０の内側２７全体は、セグメント（たとえば１５ａ、１５ｂ、１５ｃ、１５ｄ、１６ａ、１７ａ）で占められている。従ってリフレクタ部材１０の内側は、完全に、個々のセグメントの個々の湾曲された表面３１ａ、３１ｂ、３１ｃ、３１ｄから構成されている。従って、各セグメントは、その独自の表面を有している。
【００４５】
図３と４は、本発明に基づくリフレクタ部材１０の他の実施例を示しており、このリフレクタ部材はセグメントの数に関しては違わない。ここでも、周方向に８０、そして直線１８に沿って２０のセグメントが設けられている。図３と４に示すセグメント部材１０は、第１の実施例の高さｈ１と等しい高さｈ２を有している。リフレクタ部材１０の光出口開口部２０の内径ｄ２も、第１の実施例の内径ｄ１に等しい。そして、図３と４に示すリフレクタ部材１０の外径ａ２も、第１の実施例の外径ａ１に等しい。同じことが、固定収容部１４ａ、１４ｂについても当てはまる。
【００４６】
図１および２のリフレクタ部材１０と図３および４のリフレクタ部材１０の間の違いは、個々のセグメントが異なるように湾曲された表面を有していることにある。それについてさらに説明するために、図５と６を参照する。
【００４７】
図５は、自由端縁領域１２と頂点１１との間のどこかに配置されている、図４の一部を拡大して示している。セグメントの最も外側の環状のグループ２９ａのセグメント１５ａ、１５ｂ、１５ｃ、１５ｄの番号づけと一致させて、図５にはセグメント２３ａ、２４ａ、２５ａ、２６ａの断面が例示されている。上で導入された、環状のグループ２９の名称と一致させて、図５はセグメントの環状のグループの一部２９ｉ、２９ｊ、２９ｋ、２９ｌ、２９ｍ、２９ｎ、２０ｏを示している。
【００４８】
図５は、リフレクタ部材１０のほぼ垂直断面を示しているが、図６は水平の断面を示している。ここではセグメントの環状のグループ２９ｅが断面で示されている。図から、セグメントの環状のグループ２９ｆ、２９ｇ、２９ｈ、２９ｉとさらに他の環状のグループが見られる。
【００４９】
たとえば、セグメント３２を用いて、各セグメントがほぼ台形の基本形状を有していることが明らかにされる。セグメント３２を周方向に画成する、互いに対向する２つの側３３ａと３３ｂは、ほぼ等しく形成されているが、セグメント３２の半径方向内側の、従って頂点１１へ向いた側３４は、このセグメント３２の自由端縁領域１２へ向いた側３５よりも短いので、台形の基本形状が生じる。なお、この台形の基本形状は、もちろん、このセグメントを上面で見た場合にだけ生じる。実際の台形形状は、セグメント３２の表面３６が平面へ投影された場合に初めて生じる。この見方においても、台形形状は単に近似的なものである。というのは、それぞれセグメント３２の表面３６がどのように湾曲されているかに応じて、投影された面積は必ずしもまっすぐな稜を持つ必要はないからである。
【００５０】
表面３６は、二重に湾曲されている。２つの湾曲を明らかにするために、第１の湾曲ｒ１を示す図５と、第２の湾曲ｒ２を示唆する図５を参照する。
【００５１】
図６は、断面で表示されているセグメントのグループ２９ｅにおいて、湾曲半径ｒ２を示している。同様に、付属のセグメント１９ａ、１９ｂ、１９ｃ、１９ｄの表面３１ａ、３１ｂ、３１ｃ、３１ｄも、該当する湾曲半径ｒ２だけ湾曲されており、これらは図面では表示できない。名称ｒ２’は、セグメントを長手方向に、従ってセグメントの側方を画成する直線１８に対してほぼ横方向に、切断した場合に、セグメントの表面の湾曲を記述する、第２の湾曲半径ｒ２であることを、示唆している。
【００５２】
セグメント１９ａ、１９ｂ、１９ｃ、１９ｄの表面３１ａ、３１ｂ、３１ｃ、３１ｄに付属する湾曲半径ｒ２’は、これらのセグメント１９ａ、１９ｂ、１９ｃ、１９ｄが見える部分で示され、断面では示されていないので、この図からはもちろんはっきりと認識できないことを、示唆している。
【００５３】
なお、セグメントの第２のグループ２９ｅの第２の湾曲半径ｒ２は、好ましくは、セグメント１９ａ、１９ｂ、１９ｃ、１９ｄのグループ２９ｇの湾曲半径ｒ２’とは異なっている。
【００５４】
重要なことは、セグメントのグループのセグメント全部が、一定の湾曲半径ｒ２を有していることである。この湾曲半径ｒ２は、リフレクタ部材１０の長手中心軸Ｉに対してほぼ平行に延びる、図示されていない湾曲軸を中心とする、セグメント３８の付属の表面３７の湾曲を定めている。
【００５５】
最後に考察したセグメント３８よりもさらにリフレクタ部材１０の頂点１１の近くに隣接するセグメント３２も、半径ｒ２を中心とする湾曲を有しており、それは湾曲軸を中心とする湾曲に相当し、その湾曲軸はリフレクタ部材の長手中心軸Ｉと共に、リフレクタ部材のための、リフレクタ部材を図４の縦断面を通るほぼ等しい２つの半体に分割する切断平面を表す平面を定めることができる。従って、一群の湾曲軸は、リフレクタ部材１０の中心長手軸または回転軸と交差する直線を有し、交点は図２に関してリフレクタ部材１０の頂点領域１１の上方に位置している。
【００５６】
セグメントのグループ２９ｌの半径ｒ２は、セグメントのグループ２９ｅの半径ｒ２とは異なることもできる。好ましくは異なるグループ２９ａ、２９ｂ、２９ｃ、２９ｅ、２９ｆ、２９ｇ、２９ｈ、２９ｉ、２９ｊ、２９ｋ、２９ｌ、２９ｍ、２９ｎ、２９ｏが異なる半径ｒ２を有しており、それぞれ１つのグループ、たとえばグループ２９ｅの様々なセグメントは等しい半径ｒ２を有している。半径ｒ２は、頂点１１からのセグメントのグループ２９の距離に伴って変化することができ、たとえば連続的に増加することができる。
【００５７】
各セグメントの各表面は、さらに、他の半径ｒ１に沿って湾曲されている。この湾曲を、図５を用いて説明する。
【００５８】
すなわち、たとえばセグメント２６ａの表面４０は、単に概略的に示唆する湾曲軸３９を中心とする半径ｒ１で湾曲されている。この湾曲軸３９は、リフレクタ部材１０の長手中心軸Ｉに対してほぼ垂直に向けられている。好ましくは１つのグループ、たとえばグループ２９ｌのそれぞれのセグメントは、等しい半径ｒ１で湾曲されている。グループ、たとえばグループ２９ｌの個々のセグメントは、もちろん異なる湾曲軸３９を中心に湾曲されており、セグメントのグループ２９ｌの湾曲軸３９の群れは全体的に共通の平面内に位置する。長手軸Ｉは、この平面に対して垂直のベクトルを表す。
【００５９】
図５から明らかなように、セグメント２３ａ、２４ａ、２５ａ、２６ａは、それぞれ該当する湾曲半径ｒ１を有する表面を備えている。セグメントの異なるグループ２９ｊ、２９ｋ、２９ｌなどの個々の湾曲半径ｒ１は、もちろん異なっている。
【００６０】
図５と６をまとめて見ることから明らかなように、第１の湾曲半径ｒ１も第２の湾曲半径ｒ２も、該当するセグメントの、リフレクタ部材１０の頂点領域１１に対する距離に従って変化するが、セグメントの環状のグループ２９の内部では一定である。
【００６１】
実施例の上述した説明から明らかなように、図１から２に示すリフレクタ部材１０の第１の実施例は、たとえば１６００のセグメントを有することができ、各セグメントは、２つの異なる半径ｒ１とｒ２に沿って湾曲された表面を有している。図３から６に示すリフレクタ部材１０の第２の実施例は、対応する数と配置のセグメントを有しているが、個々のセグメントは、図１と２の実施例に比較して他の半径ｒ１、ｒ２で異なるように湾曲されたセグメントの表面を有している。様々なセグメントの半径ｒ１とｒ２を選択することによって、照明器具の放射行動を定めることができる。従って照明器具の様々な放射特性は、単に半径ｒ１とｒ２の変化から得られる。
【００６２】
図１と３の比較から明らかなように、固定溝１４ａ、１４ｂは、２つの異なるリフレクタ部材において完全に同一である。従って１つの同一の照明器具ハウジングに、同一の固定手段を用いて図１に示すリフレクタ部材の第１の実施例か、あるいはまた図３に示すリフレクタ部材１０の第２の実施例を交換可能に取り付けることができ、特別な付け替え手段は必要とされない。
【００６３】
なお、スポットライトとして使用すべき照明器具の放射角度にとっては、典型的に、５から１５度の範囲内の放射角度が使用され、それに対してフラッド使用目的のためには、５０から７０度の放射角度が使用される。もちろん、その間にある放射角度も得ることができ、本発明に基づくリフレクタ部材によって、細かい段階またはグレード調節も可能である。
【００６４】
実施例において１６００に決定された、セグメントの数（周方向に８０、半径方向に２０）は、もちろん任意である。しかし、２つの互いに交換可能なリフレクタ部材が、高さ（ｈ１、ｈ２）、外径（ａ１、ａ２）および直径（ｄ１、ｄ２）のような外側寸法に関しては同一であるが、そのセグメント数に関しては異なることも、容易に考えられる。
【００６５】
同様に、さらによく理解するために述べるが、フラッド効果を得るため、従ってできるだけ大きい放射角度を得るためには、特に小さい半径ｒ１、ｒ２が使用される。スポット効果を得るためには、大体において大きい半径ｒ１、ｒ２が使用される。
【００６６】
リフレクタ部材１０は、好ましくはプレスされたアルミニウムからなる。そのためにアルミニウムの円形の板金、従って円形のディスクが、回転するピンに沿って移動されるので、アルミニウムの円形の板金上にピン（雄型）がコピーされる。特に、図５の断面表示から明らかなように、リフレクタ部材１０の内側２７には、アンダーカットが全く設けられていない。従ってリフレクタ部材１０は、線形の運動によって雄型から問題なく取り外すことができる。リフレクタ部材のための材料としてプレスされたアルミニウムを使用する場合に、内側２７が鏡面化されるので、特別な措置は不要である。
【００６７】
しかし、代替的に、リフレクタ部材を、たとえばプラスチック射出成形部品またはガラス体部材から形成することもでき、それに、たとえば蒸着された、反射する表面が設けられる。
【図面の簡単な説明】
【００６８】
【図１】湾曲した表面を備えた多数のセグメントを有する第１のリフレクタ部材を、図２の視線方向Iから見た下面図である。
【図２】図１の実施例を、図１のII−II線に沿って見た部分断面図である。
【図３】図１の表示における本発明に基づくリフレクタ部材の第２の実施例を示す図である。
【図４】図３の線IV−IVに沿って見た図である。
【図５】図４の一部を、矩形部分Ｖにほぼ従って拡大して示す図である。
【図６】図４の線VI−VIにほぼ沿って拡大して示す部分断面図である。
【符号の説明】
【００６９】
１０    リフレクタ部材
１１    頂点領域
１２    環状の端縁領域
１３    カラー
１４ａ、１４ｂ    固定溝
１５ａ、１５ｂ、１５ｃ、１５ｄ、３２、３８    セグメント
２０    光出口開口部
２１    内部空間
２２    焦点
３１ａ、３１ｂ、３１ｃ、３６、３７、４０    湾曲された表面
【図１】
2006073532.tif 000003
【図２】
2006073532.tif 000004
【図３】
2006073532.tif 000005
【図４】
2006073532.tif 000006
【図５】
2006073532.tif 000007
【図６】
2006073532.tif 000008